(57)【要約】【課題】高い金属間摩擦係数と優れた耐クラッチシャダー性能とを有する潤滑油組成物、及びこれを用いた潤滑方法、変速機を提供する。【解決手段】（Ａ）特定のアミド化合物と、（Ｂ）金属系清浄剤とを含み、該（Ｂ）金属系清浄剤の金属原子換算の含有量が、組成物全量基準で３００質量ｐｐｍ超１，０００質量ｐｐｍ以下である、潤滑油組成物、及びこれを用いた潤滑方法、変速機である。【選択図】なし【特許請求の範囲】
【請求項１】
（Ａ）下記一般式（１）で示されるアミド化合物と、（Ｂ）金属系清浄剤とを含み、該（Ｂ）金属系清浄剤の金属原子換算の含有量が、組成物全量基準で３００質量ｐｐｍ超１，０００質量ｐｐｍ以下である、潤滑油組成物。
【化１】
2018065923.tif 000007
（一般式（１）中、Ｒ１１は炭素数６以上の炭化水素基を示し、Ｒ１２は水素原子又は炭素数１以上５以下の炭化水素基を示し、Ｒ１３は炭素数１以上６以下のヒドロキシアルキル基、又は該ヒドロキシアルキル基とアシル化剤との縮合により形成される基を示す。また、Ｘは酸素原子又は硫黄原子を示す。）
【請求項２】
前記（Ａ）アミド化合物の一般式（１）中、Ｒ１１は炭素数１２以上の炭化水素基であり、Ｒ１２は水素原子又は炭素数１以上２以下の炭化水素基であり、Ｒ１３は炭素数１以上６以下のヒドロキシアルキル基であり、Ｘは酸素原子である請求項１に記載の潤滑油組成物。
【請求項３】
前記（Ａ）アミド化合物の含有量が、組成物全量基準で０．１５質量％以上４質量％以下である請求項１又は２に記載の潤滑油組成物。
【請求項４】
前記（Ａ）アミド化合物の一般式（１）中、Ｒ１１は炭素数１２以上のアルキル基であり、Ｒ１２は水素原子であり、Ｒ１３は炭素数１以上６以下のヒドロキシアルキル基であり、Ｘは酸素原子である請求項１に記載の潤滑油組成物。
【請求項５】
前記（Ａ）アミド化合物の含有量が、組成物全量基準で０．１５質量％以上１質量％以下である請求項４に記載の潤滑油組成物。
【請求項６】
前記（Ｂ）金属系清浄剤の塩基価が、１０ｍｇＫＯＨ／ｇ以上７００ｍｇＫＯＨ／ｇ以下である請求項１〜５のいずれか１項に記載の潤滑油組成物。
【請求項７】
前記（Ｂ）金属系清浄剤が、金属スルホネート、金属フェネート及び金属サリシレートから選ばれる少なくとも１種である請求項１〜６のいずれか１項に記載の潤滑油組成物。
【請求項８】
前記（Ｂ）金属系清浄剤に含まれる金属原子が、アルカリ土類金属である請求項１〜７のいずれか１項に記載の潤滑油組成物。
【請求項９】
更に、（Ｃ）酸性リン酸エステル及び酸性亜リン酸エステルから選ばれる少なくとも１種のリン酸エステルを含む請求項１〜８のいずれか１項に記載の潤滑油組成物。
【請求項１０】
前記（Ｃ）リン酸エステルのリン原子換算の含有量が、組成物全量基準で１００質量ｐｐｍ以上である請求項９に記載の潤滑油組成物。
【請求項１１】
変速機用である請求項１〜１０のいずれか１項に記載の潤滑油組成物。
【請求項１２】
無段階変速機用である請求項１〜１０のいずれか１項に記載の潤滑油組成物。
【請求項１３】
請求項１〜１２のいずれか１項に記載の潤滑油組成物を用いる潤滑方法。
【請求項１４】
請求項１〜１２のいずれか１項に記載の潤滑油組成物を用いる変速機。
【発明の詳細な説明】
【技術分野】
【０００１】
本発明は、潤滑油組成物、及びこれを用いた潤滑方法、変速機に関する。
【背景技術】
【０００２】
自動車に用いられる変速機としては、手動変速機、自動変速機、無段変速機等が上市されているが、無段階で変速するため変速ショックがなく、シフトアップ時のエンジン回転数の落ち込みがなく加速性能が向上する等の理由から、無段変速機が注目されている。無段変速機としては、金属ベルト式、チェーン式、トロイダル式等が開発されており、ベルト又はチェーンとプーリーとの間において摩擦係数による大容量の動力伝達が必要となる。そのため、無段変速機に用いられる潤滑油組成物には一定以上の金属間摩擦係数が求められる。
【０００３】
ところで近年、無段変速機は更なる高度化が図られており、発進デバイスとしてロックアップクラッチ付きトルクコンバーターが搭載されたものが開発されている。トルクコンバーターは潤滑油組成物の撹拌により差回転を吸収しながら動力を伝達するが、発進時以外はロックアップクラッチを介して動力を直接伝達することで、エネルギー損失の低減を図っている。ロックアップクラッチの制御は直接締結に加えて、スリップさせながら動力を伝達するスリップ制御が行われており、潤滑油組成物の摩擦特性が不適切であると、シャダーと呼ばれる自励振動が発生する。そのため、潤滑油組成物には、初期クラッチシャダー防止性能とともに、クラッチシャダー防止寿命が長いという、耐クラッチシャダー性能（以下、初期クラッチシャダー防止性能及びクラッチシャダー防止寿命をあわせて「耐クラッチシャダー性能」と称することがある。）が求められる。
【０００４】
変速機に用いられ、金属間摩擦係数の向上に着目した潤滑油組成物として、例えば、基油に、（Ａ）炭素数１〜８の炭化水素基を有するリン含有化合物、及び（Ｂ）置換基が炭素数６〜１０の炭化水素基である３級アミン化合物を配合した潤滑油組成物（特許文献１参照）が提案されている。
また、変速機に用いられ、金属間摩擦係数とクラッチシャダー防止寿命との向上に着目した潤滑油組成物としては、例えば、潤滑油基油に、（ａ）アルカリ土類金属スルホネート又はフェネート、（ｂ）イミド化合物及び（ｃ）リン系化合物を含有する潤滑油組成物（特許文献２参照）、潤滑油基油に、（Ａ）所定構造を有する３級アミン、（Ｂ）酸性リン酸エステル及び酸性亜リン酸エステルのうち少なくともいずれか１種、及び（Ｃ）金属スルフォネート、金属フェネート、及び金属サリチレートのうち少なくともいずれか１種を配合した潤滑油組成物（特許文献３参照）、また、潤滑油基油に、（Ａ）１級アミン、（Ｂ）３級アミン、（Ｃ）金属スルホネート、金属フェネート及び金属サリチレートのうち少なくともいずれか１種、及び（Ｄ）酸性リン酸エステル及び酸性亜リン酸エステルのうち少なくともいずれか１種を配合した潤滑油組成物（特許文献４参照）等が提案されている。
【先行技術文献】
【特許文献】
【０００５】
【特許文献１】特開２００９−１６７３３７号公報
【特許文献２】特開２００１−２８８４８８号公報
【特許文献３】国際公報第２０１１／０３７０５４号パンフレット
【特許文献４】特開２０１３−１８９５６５号公報
【発明の開示】
【発明が解決しようとする課題】
【０００６】
しかしながら、特許文献１に記載の潤滑油組成物は耐クラッチシャダー性能についての検討がされておらず、また、特許文献２〜４に記載の潤滑油組成物は、金属間摩擦係数とクラッチシャダー防止寿命との向上を図ろうとするものであるが、初期クラッチシャダー防止性能及びクラッチシャダー防止寿命を含めた耐クラッチシャダー性能についての検討がされていない。また、クラッチシャダー防止寿命が検討されている特許文献２〜４に記載の潤滑油組成物組成物であっても、クラッチシャダー防止寿命に対する近年のより厳しい要求に十分に対応できるものとはいえず、特許文献１〜４に記載の潤滑油組成物は、高い金属間摩擦係数と優れた耐クラッチシャダー性能とを有するものとはいえなかった。とりわけ、初期クラッチシャダー防止性能及びクラッチシャダー防止寿命を含めた耐クラッチシャダー性能については、近年より厳しい基準が要求されており、この厳しい要求に対応し得る潤滑油組成物の開発が望まれている。
【０００７】
本発明は上記事情に鑑みてなされたものであり、高い金属間摩擦係数と優れた耐クラッチシャダー性能とを有する潤滑油組成物、及びこれを用いた潤滑方法、変速機を提供することを目的とする。
【課題を解決するための手段】
【０００８】
本発明者は、鋭意研究を重ねた結果、下記の発明により上記課題を解決できることを見出した。すなわち、本発明は、下記の構成を有する潤滑油組成物、及びこれを用いた潤滑方法、変速機を提供するものである。
【０００９】
１．（Ａ）下記一般式（１）で示されるアミド化合物と、（Ｂ）金属系清浄剤とを含み、該（Ｂ）金属系清浄剤の金属原子換算の含有量が、組成物全量基準で３００質量ｐｐｍ超１，０００質量ｐｐｍ以下である、潤滑油組成物。
【００１０】
【化１】
2018065923.tif 000002
（一般式（１）中、Ｒ１１は炭素数６以上の炭化水素基を示し、Ｒ１２は水素原子又は炭素数１以上５以下の炭化水素基を示し、Ｒ１３は炭素数１以上６以下のヒドロキシアルキル基、又は該ヒドロキシアルキル基とアシル化剤との縮合により形成される基を示す。また、Ｘは酸素原子又は硫黄原子を示す。）
【００１１】
２．上記１に記載の潤滑油組成物を用いる潤滑方法。
３．上記１に記載の潤滑油組成物を用いる変速機。
【発明の効果】
【００１２】
本発明によれば、高い金属間摩擦係数と優れた耐クラッチシャダー性能とを有する潤滑油組成物、及びこれを用いた潤滑方法、変速機を提供することができる。
【発明を実施するための形態】
【００１３】
以下、本発明の実施形態（以下、「本実施形態」と称することもある。）について説明する。なお、本明細書中において、数値範囲の記載に関する「以上」「以下」の数値は任意に組み合わせできる数値である。
【００１４】
〔潤滑油組成物〕
本実施形態の潤滑油組成物は、特定構造を有する（Ａ）アミド化合物と、（Ｂ）金属系清浄剤とを含み、該（Ｂ）金属系清浄剤の金属原子換算の含有量が、組成物全量基準で３００質量ｐｐｍ超１，０００質量ｐｐｍ以下であるものである。
【００１５】
＜（Ａ）アミド化合物＞
（Ａ）アミド化合物は、後述する（Ｂ）金属系清浄剤と併用することにより、本実施形態の潤滑油組成物に高い金属間摩擦係数と優れた耐クラッチシャダー性能とを付与するものであり、下記一般式（１）で示される化合物である。
【００１６】
【化２】
2018065923.tif 000003
【００１７】
一般式（１）中、Ｒ１１は炭素数６以上の炭化水素基を示す。炭化水素基としては、直鎖状、分岐状、環状のいずれであってもよく、例えば、アルキル基、アルケニル基、アルカジエン基、シクロアルキル基、アリール基、及びアリールアルキル基等が挙げられる。これらの炭化水素基の中でも、アルキル基、アルケニル基、アルカジエン基が好ましく、特にアミド化合物の安定性を高め、より優れた添加効果を得る観点から、アルキル基がより好ましい。
炭化水素基の炭素数は、６以上であることを要する。炭素数が６未満であると、高い金属間摩擦係数と優れた耐クラッチシャダー性能とが得られない。金属間摩擦係数と耐クラッチシャダー性能とを向上させる観点から、炭素数は８以上が好ましく、１２以上がより好ましく、１６以上が更に好ましい。また、炭素数の上限としては、２４以下が好ましく、２２以下がより好ましく、２０以下が更に好ましい。
【００１８】
アルキル基としては、各種ヘキシル基（「各種」とは、直鎖状、分岐状、及びこれらの異性体のものを含むことを示す。以下、同じ。）、各種ヘプチル基、各種オクチル基、各種ノニル基、各種デシル基、各種ウンデシル基、各種ドデシル基、各種トリデシル基、各種テトラデシル基、各種ペンタデシル基、各種ヘキサデシル基、各種ヘプタデシル基、各種オクタデシル基、各種ノナデシル基、各種イコシル基、各種ヘンイコシル基、各種ドコシル基、各種トリコシル基、各種テトラコシル基が挙げられる。
【００１９】
アルケニル基としては、各種ヘキセニル基、各種ヘプテニル基、各種オクテニル基、各種ノネニル基、各種デセニル基、各種ウンデセニル基、各種ドデセニル基、各種トリデセニル基、各種テトラデセニル基、各種ペンタデセニル基、各種ヘキサデセニル基、各種ヘプタデセニル基、各種オクタデセニル基、各種ノナデセニル基、各種イコセニル基、各種ヘンイコセニル基、各種ドコセニル基、各種トリコセニル基、各種テトラコセニル基が挙げられる。
【００２０】
アルカジエン基としては、例えば各種ヘキサジエン基、各種ヘプタジエン基、各種オクタジエン基、各種ノナジエン基、各種デカジエン基、各種ウンデカジエン基、各種ドデカジエン基、各種トリデカジエン基、各種テトラデカジエン基、各種ペンタデカジエン基、各種ヘキサデカジエン基、各種ヘプタデカジエン基、各種オクタデカジエン基、各種ノナデカジエン基、各種イコサジエン基、各種ヘンイコサジエン基、各種ドコサジエン基、各種トリコサジエン基、各種テトラコサジエン基等が挙げられる。
【００２１】
シクロアルキル基としては、例えば、シクロヘキシル基、各種メチルシクロヘキシル基、各種エチルシクロヘキシル基、各種ジメチルシクロヘキシル基等が挙げられ、アリール基としては、フェニル基、各種メチルフェニル基、各種エチルフェニル基、各種ジメチルフェニル基、各種プロピルフェニル基、各種トリメチルフェニル基、各種ブチルフェニル基、各種ナフチル基等が挙げられ、アリールアルキル基としては、ベンジル基、フェネチル基、各種フェニルプロピル基、各種フェニルブチル基、各種メチルベンジル基、各種エチルベンジル基、各種プロピルベンジル基、各種ブチルベンジル基、各種ヘキシルベンジル基等が挙げられる。
【００２２】
Ｒ１２は水素原子又は炭素数１以上５以下の炭化水素基を示す。炭化水素基としては、直鎖状、分岐状、環状のいずれであってもよく、例えば、アルキル基、アルケニル基、アルカジエン基、シクロアルキル基等が挙げられ、これらの炭化水素基の中でも、アルキル基、アルケニル基、アルカジエン基が好ましく、特にアミド化合物の安定性を高め、より優れた添加効果を得る観点から、アルキル基がより好ましい。
炭化水素基の炭素数は、１以上５以下であることを要する。炭素数が１以上５以下でないと、高い金属間摩擦係数と優れた耐クラッチシャダー性能が得られない。金属間摩擦係数と耐クラッチシャダー性能とを向上させる観点から、炭素数は４以下が好ましく、３以下がより好ましく、２以下が更に好ましく、下限としては１以上であればよい。
【００２３】
アルキル基としては、メチル基、エチル基、各種プロピル基、各種ブチル基、各種ペンチル基が挙げられ、アルケニル基としては、ビニル基、各種プロペニル基、各種ブタジエニル基、各種ペンテニル基が挙げられ、アルカジエン基としては、例えばプロパジエン基、各種ブタジエン基、各種ペンタジエン基が挙げられる。
また、シクロアルキル基としては、シクロプロピル基、各種メチルシクロプロピル基、各種エチルシクロプロピル基、各種ジメチルシクロプロピル基、各種ジエチルシクロプロピル基、シクロブチル基、各種メチルシクロブチル基、シクロペンチル基等が挙げられる。
【００２４】
Ｒ１２は、金属間摩擦係数と耐クラッチシャダー性能とを向上させる観点から、水素原子又は炭素数１以上５以下のアルキル基、アルケニル基、アルカジエン基が好ましく、水素原子又は炭素数１以上５以下のアルキル基がより好ましく、水素原子又は炭素数１以上３以下のアルキル基が更に好ましく、特に、水素原子が好ましい。
【００２５】
Ｒ１３の炭素数１以上６以下のヒドロキシアルキル基としては、ヒドロキシメチル基、ヒドロキシエチル基、各種ヒドロキシプロピル基、各種ヒドロキシブチル基、各種ヒドロキシペンチル基、各種ヒドロキシヘキシル基が挙げられる。ヒドロキシアルキル基に含まれるアルキル基は、直鎖状、分岐状、環状のいずれであってもよい。これらの中でも、金属間摩擦係数と耐クラッチシャダー性能とを向上させる観点から、炭素数は５以下が好ましく、４以下がより好ましく、２以下が更に好ましく、下限としては１以上であればよい。
【００２６】
また、Ｒ１３は、ヒドロキシアルキル基とアシル化剤との縮合により形成される基であってもよい。アシル化剤としては、ギ酸、酢酸、コハク酸、サリチル酸等のカルボン酸、これらのハロゲン化物、これらの無水物等のカルボン酸類；チオ酢酸、チオプロパン酸、フェニルチオ酢酸等のチオカルボン酸、これらの無水物等のチオカルボン酸類が挙げられる。
金属間摩擦係数と耐クラッチシャダー性能とを向上させる観点から、Ｒ１３としては、ヒドロキシアルキル基が好ましい。
【００２７】
Ｘは、酸素原子又は硫黄原子であり、金属間摩擦係数と耐クラッチシャダー性能とを向上させる観点から、酸素原子であることが好ましい。（Ａ）アミド化合物としては、Ｘが酸素原子であるアミド化合物、Ｘが硫黄原子であるチオアミド化合物のいずれも含まれるものであるが、Ｘが酸素原子であるアミド化合物であることが好ましい。
【００２８】
（Ａ）アミド化合物は、金属間摩擦係数と耐クラッチシャダー性能とを向上させる観点から、より具体的には、一般式（１）においてＲ１１が炭素数１２以上の炭化水素基であり、Ｒ１２が水素原子又は炭素数１以上２以下の炭化水素基であり、Ｒ１３が炭素数１以上６以下のヒドロキシアルキル基であり、Ｘが酸素原子であるアミド化合物が好ましく、Ｒ１１が炭素数１２以上の炭化水素基であり、Ｒ１２が水素原子であり、Ｒ１３が炭素数１以上６以下のヒドロキシアルキル基であり、Ｘが酸素原子であるアミド化合物がより好ましく、Ｒ１１が炭素数１６以上２０以下の炭化水素基であり、Ｒ１２が水素原子であり、Ｒ１３が炭素数１以上２以下のヒドロキシアルキル基であり、Ｘが酸素原子であるアミド化合物が更に好ましい。
更に具体的には、（Ａ）アミド化合物は、一般式（１）においてＲ１１が炭素数１２以上のアルキル基であり、Ｒ１２が水素原子又は炭素数１以上２以下のアルキル基であり、Ｒ１３が炭素数１以上６以下のヒドロキシアルキル基であり、Ｘが酸素原子であるモノアルキルアミド化合物又はジアルキルアミド化合物が好ましく、Ｒ１１が炭素数１２以上のアルキル基であり、Ｒ１２が水素原子であり、Ｒ１３が炭素数１以上６以下のヒドロキシアルキル基であり、Ｘが酸素原子であるモノアルキルアミド化合物がより好ましく、Ｒ１１が炭素数１６以上２０以下のアルキル基であり、Ｒ１２が水素原子であり、Ｒ１３が炭素数１以上２以下のヒドロキシアルキル基であり、Ｘが酸素原子であるモノアルキルアミド化合物が更に好ましい。
【００２９】
（Ａ）アミド化合物の含有量は、組成物全量基準で、０．１５質量％以上４質量％以下が好ましく、０．２質量％以上２質量％以下がより好ましく、０．３質量％以上１．５質量％以下が更に好ましい。（Ａ）アミド化合物の含有量が上記範囲内であると、金属間摩擦係数と耐クラッチシャダー性能とが向上する。
これと同じ理由により、（Ａ）アミド化合物の窒素原子換算の含有量は、組成物全量基準で、５０質量ｐｐｍ以上１，８００質量ｐｐｍ以下が好ましく、８５質量ｐｐｍ以上８５０質量ｐｐｍ以下がより好ましく、１５０質量ｐｐｍ以上６５０質量ｐｐｍ以下が更に好ましい。
【００３０】
また、（Ａ）アミド化合物の中でも、特に一般式（１）におけるＲ１２が水素原子の（Ａ）アミド化合物の場合、潤滑油組成物への溶解性も考慮すると、（Ａ）アミド化合物の含有量は、組成物全量基準で、０．１５質量％以上２質量％以下が好ましく、０．２質量％以上１．５質量％以下がより好ましく、０．２５質量％以上１質量％以下が更に好ましい。
これと同じ理由により、一般式（１）におけるＲ１２が水素原子の（Ａ）アミド化合物の場合、（Ａ）アミド化合物の窒素原子換算の含有量は、組成物全量基準で、５０質量ｐｐｍ以上８５０質量ｐｐｍ以下が好ましく、８０質量ｐｐｍ以上６５０質量ｐｐｍ以下がより好ましく、１００質量ｐｐｍ以上４５０質量ｐｐｍ以下が更に好ましい。
【００３１】
＜（Ｂ）金属系清浄剤＞
（Ｂ）金属系清浄剤は、上記（Ａ）アミド化合物と併用することにより、本実施形態の潤滑油組成物に高い金属間摩擦係数と優れた耐クラッチシャダー性能とを付与するものである。（Ｂ）金属系清浄剤は、例えば、金属スルホネート、金属フェネート及び金属サリシレートから選ばれる少なくとも１種であることが好ましく、中でも金属スルホネートが好ましい。
【００３２】
これらの（Ｂ）金属系清浄剤に含まれる金属原子としては、ナトリウム、カリウム等のアルカリ金属；マグネシウム、カルシウム、バリウム等のアルカリ土類金属が好ましく挙げられ、マグネシウム、カルシウム、バリウム等のアルカリ土類金属がより好ましく、更にカルシウムが好ましい。
【００３３】
（Ｂ）金属系清浄剤としては、例えば、金属原子がアルカリ金属であるアルカリ金属スルホネート、アルカリ金属フェネート、アルカリ金属サリシレート、金属原子がアルカリ土類金属であるアルカリ土類金属スルホネート、アルカリ土類金属フェネート、アルカリ土類金属サリシレートが好ましく、金属原子がアルカリ土類金属であるアルカリ土類金属スルホネート、アルカリ土類金属フェネート、アルカリ土類金属サリシレートがより好ましく、アルカリ土類金属がカルシウムであるカルシウムスルホネート、カルシウムフェネート、カルシウムサリシレートが更に好ましく、特にカルシウムスルホネートが好ましい。
【００３４】
（Ｂ）金属系清浄剤は、中性、塩基性、過塩基性のいずれであってもよいが、金属間摩擦係数と耐クラッチシャダー性能とを向上させ、また清浄性を考慮すると、塩基性、過塩基性のものが好ましく、その全塩基価は１０ｍｇＫＯＨ／ｇ以上７００ｍｇＫＯＨ／ｇ以下が好ましく、１００ｍｇＫＯＨ／ｇ以上６５０ｍｇＫＯＨ／ｇ以下がより好ましく、２００ｍｇＫＯＨ／ｇ以上５５０ｍｇＫＯＨ／ｇ以下が更に好ましい。ここで、全塩基価は、ＪＩＳ  Ｋ２５０１に規定の過塩素酸法に従った測定したものである。
【００３５】
（Ｂ）金属系清浄剤のより具体的な例としては、例えば、金属スルホネートとしては下記一般式（２−１）〜（２−３）で示される化合物、金属フェネートとしては下記一般式（３−１）〜（３−３）で示される化合物、金属サリシレートとしては下記一般式（４−１）〜（４−３）で示される化合物が挙げられる。
【００３６】
【化３】
2018065923.tif 000004
【００３７】
一般式（２−１）〜（２−３）、（３−１）〜（３−３）、（４−１）〜（４−３）中、Ｒ２１〜Ｒ２５、Ｒ３１〜Ｒ３５、及びＲ４１〜Ｒ４５は各々独立に水素原子又は炭素数１以上２４以下の炭化水素基を示し、Ｍ２１、Ｍ３１、及びＭ４１は各々独立にアルカリ金属又はアルカリ土類金属を示し、Ｍ２２、Ｍ２３、Ｍ３２、Ｍ３３、Ｍ４２、及びＭ４３は各々独立にアルカリ金属を示し、Ｍ２４、Ｍ３４、及びＭ４４は各々独立にアルカリ土類金属を示し、ｐ２１、ｐ３１及びｐ４１は各々Ｍ２１、Ｍ３１及びＭ４１の価数を示し、ｑ２１、ｑ２２、ｑ３１、ｑ３２、ｑ４１及びｑ４２は１又は２を示す。一般式（２−１）、（３−１）及び（４−１）において、複数のＲ２１、Ｒ３１及びＲ４１が存在する場合、Ｒ２１、Ｒ３１及びＲ４１は同じでも異なっていてもよい。
【００３８】
Ｒ２１〜Ｒ２５、Ｒ３１〜Ｒ３５及びＲ４１〜Ｒ４５の炭素数１以上２４以下の炭化水素基としては、上記（Ａ）アミド化合物の一般式（１）に含まれるＲ１１、Ｒ１２の炭化水素基として例示したものが挙げられる。
これらの金属系清浄剤に含まれる金属原子である、Ｍ２１、Ｍ３１及びＭ４１としては、上記のアルカリ金属、アルカリ土類金属が例示され、Ｍ２２、Ｍ２３、Ｍ３２、Ｍ３３、Ｍ４２及びＭ４３のアルカリ金属、Ｍ２４、Ｍ３４及びＭ４４のアルカリ土類金属としても、各々上記のアルカリ金属、アルカリ土類金属が例示される。
【００３９】
ｐ２１、ｐ３１及びｐ４１は、各々Ｍ２１、Ｍ３１及びＭ４１の価数である。例えば、Ｍ２１、Ｍ３１及びＭ４１がアルカリ金属であればｐ２１、ｐ３１及びｐ４１は１であり、Ｍ２１、Ｍ３１及びＭ４１がアルカリ土類金属であればｐ２１、ｐ３１及びｐ４１は２である。
【００４０】
（Ｂ）金属系清浄剤の金属原子換算の含有量は、組成物全量基準で、３００質量ｐｐｍ超１，０００質量ｐｐｍ以下であることを要する。（Ｂ）金属系清浄剤の金属原子換算の含有量が３００質量ｐｐｍ以下、１，０００質量ｐｐｍを超えると、高い金属間摩擦係数と優れた耐クラッチシャダー性能とが得られない。金属間摩擦係数と耐クラッチシャダー性能とを向上させる観点から、（Ｂ）金属系清浄剤の金属原子換算の含有量は、組成物全量基準で、３２５質量ｐｐｍ以上９００質量ｐｐｍ以下が好ましく、３５０質量ｐｐｍ以上８００質量ｐｐｍ以下がより好ましく、４００質量ｐｐｍ以上７００質量ｐｐｍ以下が更に好ましい。
これと同様の観点から、（Ｂ）金属系清浄剤の含有量は、組成物全量基準で、０．１質量％以上５質量％以下が好ましく、０．１５質量％以上３質量％以下がより好ましく、０．２質量％以上２質量％以下が更に好ましい。
【００４１】
＜（Ｃ）リン酸エステル＞
本実施形態の潤滑油組成物は、更に（Ｃ）酸性リン酸エステル及び酸性亜リン酸エステルから選ばれる少なくとも一種のリン酸エステル（単に「（Ｃ）リン酸エステル」と称することがある。）を含むことが好ましい。（Ｃ）リン酸エステルを含むことで、特に金属間摩擦係数の向上効果が得られ、また、他の成分、すなわち（Ａ）アミド化合物、及び（Ｂ）金属系清浄剤との相互作用により、金属間摩擦係数と耐クラッチシャダー性能とが向上する。
【００４２】
酸性リン酸エステルとしては、例えば、下記一般式（５）、（６）で示されるものが好ましく挙げられ、酸性亜リン酸エステルとしては、例えば、下記一般式（７）、（８）で示されるものが好ましく挙げられる。
【００４３】
【化４】
2018065923.tif 000005
【００４４】
一般式（５）〜（８）中、Ｒ５１、Ｒ６１、Ｒ６２、Ｒ７１、Ｒ８１及びＲ８２は、それぞれ独立に炭素数１以上２４以下の炭化水素基を示す。炭化水素基としては、アルキル基、アルケニル基、アルカジエン基、シクロアルキル基、アリール基、及びアリールアルキル基等が挙げられる。これらの炭化水素基の中でも、アルキル基、アルケニル基が好ましく、特にアミド化合物の安定性を高めて、より優れた効果を得る観点から、アルキル基がより好ましい。これらの炭化水素基としては、上記（Ａ）アミド化合物の一般式（１）に含まれるＲ１１、Ｒ１２の炭化水素基として例示したものが挙げられる。
【００４５】
金属間摩擦係数と耐クラッチシャダー性能とを向上させる観点から、炭化水素基がアルキル基及びアルケニル基の場合は、炭素数は１以上が好ましく、２以上がより好ましく、４以上が更に好ましく、６以上が特に好ましく、上限としては、２４以下が好ましく、２０以下がより好ましく、１４以下が更に好ましく、１２以下が特に好ましい。炭化水素基がシクロアルキル基、アリール基の場合は、炭素数は６以上が好ましく、上限としては、１６以下が好ましく、１４以下がより好ましく、１２以下が更に好ましい。また、炭化水素基がアリールアルキル基の場合は、炭素数は７以上が好ましく、上限としては、１６以下が好ましく、１４以下がより好ましく、１２以下が更に好ましい。
【００４６】
上記一般式（５）で示される酸性リン酸モノエステルとしては、例えば、エチルアシッドホスフェート、プロピルアシッドホスフェート、ブチルアシッドホスフェート、及びエチルヘキシルアシッドホスフェート等が挙げられる。また、上記一般式（６）で示される酸性リン酸ジエステルとしては、例えば、ジエチルアシッドホスフェート、ジプロピルアシッドホスフェート、ジブチルアシッドホスフェート、及びジエチルヘキシルアシッドホスフェート等が挙げられる。
【００４７】
酸性リン酸エステルの中では、金属間摩擦係数と耐クラッチシャダー性能とを向上させる観点から、炭素数６以上８以下のアルキル基を有する酸性リン酸モノエステルが好ましく、分岐状アルキル基を有する酸性リン酸モノエステルがより好ましく、炭素数８の分岐状アルキル基を有する酸性リン酸モノエステル、すなわちエチルヘキシルアシッドホスフェートが更に好ましい。
【００４８】
上記一般式（７）で表される酸性亜リン酸モノエステルとしては、例えば、エチルハイドロジェンホスファイト、プロピルハイドロジェンホスファイト、ブチルハイドロジェンホスファイト、及びエチルヘキシルハイドロジェンホスファイト等が挙げられる。また、上記一般式（８）で表される酸性亜リン酸ジエステルとしては、例えば、ジヘキシルハイドロジェンホスファイト、ジヘプチルハイドロジェンホスファイト、ジオクチルハイドロジェンホスファイト、及びジエチルヘキシルハイドロジェンホスファイト等が挙げられる。
【００４９】
上記した酸性亜リン酸エステルの中では、金属間摩擦係数と耐クラッチシャダー性能とを向上させる観点から、炭素数６以上８以下のアルキル基を有する酸性亜リン酸モノエステルが好ましく、分岐状アルキル基を有する酸性亜リン酸モノエステルがより好ましく、炭素数８の分岐状アルキル基を有する酸性亜リン酸モノエステル、すなわちエチルヘキシルハイドロジェンホスファイトが更に好ましい。
【００５０】
（Ｃ）リン酸エステルのリン原子換算の含有量は、組成物全量基準で、１００質量ｐｐｍ以上が好ましく、１５０質量ｐｐｍ以上がより好ましく、２００質量ｐｐｍ以上が更に好ましい。また、上限値としては、１，０００質量ｐｐｍ以下が好ましく、８００質量ｐｐｍ以下がより好ましく、７００質量ｐｐｍ以下が更に好ましい。（Ｃ）リン酸エステルの含有量が上記範囲内であると、効率よく、金属間摩擦係数と耐クラッチシャダー性能とが向上する。
また、これと同様の理由により、（Ｃ）リン酸エステルの含有量は、組成物全量基準で、０．０５質量％以上が好ましく、０．１質量％以上がより好ましく、０．１５質量％以上が更に好ましい。また、上限値としては、２質量％以下が好ましく、１．５質量％以下がより好ましく、１質量％以下が更に好ましい。
【００５１】
＜（Ｄ）基油＞
本実施形態の潤滑油組成物は、更に（Ｄ）基油を含んでもよい。（Ｄ）基油としては、鉱油であってもよく、合成油であってもよい。
鉱油としては、パラフィン基系、ナフテン基系、中間基系の原油を常圧蒸留して得られる常圧残油；該常圧残油を減圧蒸留して得られた留出油；該留出油を、溶剤脱れき、溶剤抽出、水素化分解、溶剤脱ろう、接触脱ろう、水素化精製等のうちの１つ以上の処理を行って精製した鉱油、例えば、軽質ニュートラル油、中質ニュートラル油、重質ニュートラル油、ブライトストック等が挙げられる。また、フィッシャー・トロプシュ法等により製造されるワックス（ＧＴＬワックス）を異性化することで得られる鉱油も挙げられる。
【００５２】
また、鉱油としては、ＡＰＩ（米国石油協会）の基油カテゴリーにおいて、グループ１、２、３のいずれに分類されるものでもよいが、スラッジ生成をより抑制することができ、また粘度特性、酸化劣化等に対する安定性を得る観点から、グループ２、３に分類されるものが好ましい。
【００５３】
合成油としては、例えば、ポリブテン、エチレン−α−オレフィン共重合体、α−オレフィン単独重合体又は共重合体等のポリα−オレフィン；ポリオールエステル、二塩基酸エステル、リン酸エステル等の各種エステル；ポリフェニルエーテル等の各種エーテル；ポリグリコール；アルキルベンゼン；アルキルナフタレンなどが挙げられる。
【００５４】
（Ｄ）基油は、上記の鉱油を単独で、又は複数種を組み合わせて用いてもよく、合成油を単独で、又は複数種を組み合わせて用いてもよい。また、鉱油一種以上と合成油一種以上とを組み合わせて混合油として用いてもよい。
【００５５】
（Ｄ）基油の粘度については特に制限はないが、１００℃における動粘度が、好ましくは１．５ｍｍ２／ｓ以上、より好ましくは２ｍｍ２／ｓ以上、更に好ましくは２．５ｍｍ２／ｓ以上である。上限としては、好ましくは１０ｍｍ２／ｓ以下、より好ましくは８ｍｍ２／ｓ以下、更に好ましくは５ｍｍ２／ｓ以下である。（Ｄ）基油の４０℃動粘度は、７ｍｍ２／ｓ以上が好ましく、８ｍｍ２／ｓ以上がより好ましく、１０ｍｍ２／ｓ以上が更に好ましい。また、上限としては２５ｍｍ２／ｓ以下が好ましく、２０ｍｍ２／ｓ以下がより好ましく、１５ｍｍ２／ｓ以下が更に好ましい。（Ｄ）基油の動粘度が上記範囲内であると、省燃費性が良好となり、金属間摩擦係数と耐クラッチシャダー性能とが向上する。
また、これと同様の観点から、（Ｄ）基油の粘度指数は、８０以上が好ましく、９０以上がより好ましく、１００以上が更に好ましい。本明細書において、動粘度、及び粘度指数は、ＪＩＳ  Ｋ２２８３：２０００に準拠し、ガラス製毛管式粘度計を用いて測定した値である。
【００５６】
（Ｄ）基油の組成物全量基準の含有量は、通常５０質量％以上であり、好ましくは６０質量％以上、より好ましくは７０質量％以上、更に好ましくは８０質量％以上である。また、上限としては９７質量％以下が好ましく、より好ましくは９５質量％以下であり、更に好ましくは９０質量％以下である。
【００５７】
＜その他添加剤＞
本実施形態の潤滑油組成物は、発明の目的を阻害しない範囲で、例えば、粘度指数向上剤、摩擦調整剤、摩擦防止剤、分散剤、金属不活性化剤、消泡剤、酸化防止剤、流動点降下剤等のその他添加剤を、適宜選択して配合することができる。これらの添加剤は、単独で、又は複数種を組み合わせて用いることができる。
これらのその他添加剤の合計含有量は、発明の目的に反しない範囲であれば特に制限はないが、その他添加剤を添加する効果を考慮すると、組成物全量基準で、０．１質量％以上２０質量％以下が好ましく、３質量％以上１８質量％以下がより好ましく、１０質量％以上１７質量％以下が更に好ましい。
【００５８】
（粘度指数向上剤）
本実施形態の潤滑油組成物は、潤滑油組成物の粘度指数を向上させるため、粘度指数向上剤を含有してもよい。粘度指数向上剤としては、例えば、非分散型ポリメタクリレート、分散型ポリメタクリレート、オレフィン系共重合体（例えば、エチレン−プロピレン共重合体等）、分散型オレフィン系共重合体、スチレン系共重合体（例えば、スチレン−ジエン共重合体、スチレン−イソプレン共重合体等）等の重合体が挙げられる。
【００５９】
これらの粘度指数向上剤の質量平均分子量としては、その種類に応じて適宜設定されるが、粘度特性の観点から、通常５００以上１，０００，０００以下、好ましくは５，０００以上８００，０００以下、より好ましくは１０，０００以上６００，０００以下である。
非分散型及び分散型ポリメタクリレートの場合は、５，０００以上５００，０００以下が好ましく、１０，０００以上３００，０００以下がより好ましく、２０，０００以上１００，０００以下が更に好ましい。また、オレフィン系共重合体の場合は、８００以上３００，０００以下が好ましく、５，０００以上２５０，０００以下がより好ましく、１０，０００以上２００，０００以下が更に好ましい。
【００６０】
本明細書において、質量平均分子量は、ゲルパーミエーションクロマトグラフィー（ＧＰＣ）法により測定し、ポリスチレンを用いて作成した検量線から求めた値である。例えば、上記各ポリマーの質量平均分子量は、以下のＧＰＣ法により、ポリスチレン換算値として算出することができる。
＜ＧＰＣ測定装置＞
・カラム：ＴＯＳＯ  ＧＭＨＨＲ−Ｈ（Ｓ）ＨＴ
・検出器：液体クロマトグラム用ＲＩ検出器  ＷＡＴＥＲＳ  １５０Ｃ
＜測定条件等＞
・溶媒：１，２，４−トリクロロベンゼン
・測定温度：１４５℃
・流速：１．０ミリリットル／分
・試料濃度：２．２ｍｇ／ミリリットル
・注入量：１６０マイクロリットル
・検量線：Ｕｎｉｖｅｒｓａｌ  Ｃａｌｉｂｒａｔｉｏｎ
・解析プログラム：ＨＴ−ＧＰＣ（Ｖｅｒ，１．０）
【００６１】
粘度指数向上剤の含有量は、効率よく添加効果を得る観点から、組成物全量基準で、０．５質量％以上１５質量％以下が好ましく、１質量％以上１２質量％以下がより好ましく、３質量％以上１０質量％以下が更に好ましい。
【００６２】
（摩擦調整剤）
摩擦調整剤としては、例えば、炭素数６以上３０以下のアルキル基またはアルケニル基、特に炭素数６以上３０以下の直鎖アルキル基または直鎖アルケニル基を分子中に少なくとも１個有する、脂肪族アミン、脂肪族アルコール、脂肪酸アミン、脂肪酸エステル、脂肪酸アミド、脂肪酸、及び脂肪酸エーテル等の無灰摩擦調整剤；モリブデンジチオカーバメート（ＭｏＤＴＣ）、モリブデンジチオホスフェート（ＭｏＤＴＰ）、及びモリブデン酸のアミン塩等のモリブデン系摩擦調整剤等が挙げられる。
【００６３】
無灰摩擦調整剤を用いる場合、その含有量は、効率よく添加効果を得る観点から、組成物全量基準で、０．０１質量％以上が好ましく、０．０５質量％以上がより好ましく、０．１質量％以上が更に好ましい。また、上限値としては、３質量％以下が好ましく、２質量％以下がより好ましく、１．５質量％以下が更に好ましい。また、モリブデン系摩擦調整剤を用いる場合、その組成物全量基準の含有量は、モリブデン原子換算で、６０質量ｐｐｍ以上が好ましく、７０質量ｐｐｍ以上がより好ましく、８０質量ｐｐｍ以上が更に好ましい。また、上限としては、１，０００質量ｐｐｍ以下が好ましく、９００質量ｐｐｍ以下がより好ましく、８００質量ｐｐｍ以下が更に好ましい。
【００６４】
（摩擦防止剤）
摩耗防止剤としては、例えば、チオリン酸金属塩（当該金属の例：亜鉛（Ｚｎ）、鉛（Ｐｂ）、アンチモン（Ｓｂ））や、チオカルバミン酸金属塩（当該金属の例：亜鉛（Ｚｎ））のような硫黄系摩耗防止剤、リン酸エステル（例えば、トリクレジルホスフェート）のようなリン系摩耗防止剤を挙げることができる。
【００６５】
（分散剤）
分散剤としては、例えば、ホウ素非含有コハク酸イミド類、ホウ素含有コハク酸イミド類、ベンジルアミン類、ホウ素含有ベンジルアミン類、コハク酸エステル類、脂肪酸あるいはコハク酸で代表される一価又は二価カルボン酸アミド類等の無灰系分散剤が挙げられる。
【００６６】
（金属不活性化剤）
金属不活性化剤としては、例えば、ベンゾトリアゾール、トリアゾール誘導体、ベンゾトリアゾール誘導体、チアジアゾール誘導体が挙げられる。
【００６７】
（消泡剤）
消泡剤としては、例えば、シリコーン油、フルオロシリコーン油、及びフルオロアルキルエーテル等が挙げられる。
【００６８】
（酸化防止剤）
酸化防止剤としては、例えば、ジフェニルアミン系酸化防止剤、ナフチルアミン系酸化防止剤等のアミン系酸化防止剤；モノフェノール系酸化防止剤、ジフェノール系酸化防止剤、ヒンダードフェノール系酸化防止剤等のフェノール系酸化防止剤；三酸化モリブデン及び／又はモリブデン酸とアミン化合物とを反応させてなるモリブデンアミン錯体等のモリブデン系酸化防止剤；フェノチアジン、ジオクタデシルサルファイド、ジラウリル−３，３'−チオジプロピオネート、２−メルカプトベンゾイミダゾール等の硫黄系酸化防止剤；トリフェニルホスファイト、ジイソプロピルモノフェニルホスファイト、モノブチルジフェニルホスファイト等のリン系酸化防止剤等が挙げられる。
【００６９】
（流動点降下剤）
流動点降下剤としては、例えば、エチレン−酢酸ビニル共重合体、塩素化パラフィンとナフタレンとの縮合物、塩素化パラフィンとフェノールとの縮合物、ポリメタクリレート、ポリアルキルスチレン等が挙げられる。
【００７０】
＜潤滑油組成物の各種物性＞
本実施形態の潤滑油組成物の１００℃動粘度は、好ましくは１ｍｍ２／ｓ以上１０ｍｍ２／ｓ以下、より好ましくは２ｍｍ２／ｓ以上８ｍｍ２／ｓ以下、更に好ましくは３ｍｍ２／ｓ以上７ｍｍ２／ｓ以下である。本実施形態の潤滑油組成物の４０℃動粘度は、７ｍｍ２／ｓ以上３０ｍｍ２／ｓ以下が好ましく、１０ｍｍ２／ｓ以上２７ｍｍ２／ｓ以下がより好ましく、１５ｍｍ２／ｓ以上２５ｍｍ２／ｓ以下が更に好ましい。潤滑油組成物の動粘度が上記範囲内であると、金属間摩擦係数と耐クラッチシャダー性能との向上効果が得られやすい。
また、これと同様の観点から、本実施形態の潤滑油組成物の粘度指数は、１５０以上が好ましく、１７０以上がより好ましく、１９０以上が更に好ましい。
【００７１】
本実施形態の潤滑油組成物の金属間摩擦係数は、好ましくは０．１１５以上、より好ましくは０．１１７以上、更に好ましくは０．１２以上となる。金属間摩擦係数の値は、後述する実施例に記載の方法で測定される値である。
本実施形態の潤滑油組成物の初期クラッチシャダー防止性能（ｄμ／ｄＶ）は、好ましくは０．０９以上、より好ましくは０．０９１以上、更に好ましくは０．０９２以上である。また、クラッチシャダー防止寿命が、好ましくは３５０時間以上、より好ましくは４５０時間以上、更に好ましくは５５０時間以上となる。初期クラッチシャダー防止性能（ｄμ／ｄＶ）及びクラッチシャダー防止寿命の値は、後述する実施例に記載の方法で測定される値である。
【００７２】
このように、本実施形態の潤滑油組成物は、高い金属間摩擦係数と優れた耐クラッチシャダー性能を有するものである。
本実施形態の潤滑油組成物は、このような特性をいかし、例えば、ガソリン自動車、ハイブリッド自動車、電気自動車等に搭載される、手動変速機、自動変速機、無段変速機等の変速機用の潤滑油組成物として好適に用いることができる。中でも、無段変速機、とりわけシャダーが発生しやすいロックアップクラッチを備える、無段変速機用の潤滑油組成物として好適である。また、他の用途、例えば、内燃機関、油圧機械、タービン、圧縮機、工作機械、切削機械、歯車（ギヤ）、流体軸受け、転がり軸受けを備える機械等にも好適に用いられる。
【００７３】
〔潤滑方法及び変速機〕
本実施形態の潤滑方法は、上記の本実施形態の潤滑油組成物を用いた潤滑方法である。本実施形態の潤滑方法で用いられる潤滑油組成物は、高い金属間摩擦係数と優れた耐クラッチシャダー性能を有するものである。よって、本実施形態の潤滑方法は、例えば、ガソリン自動車、ハイブリッド自動車、電気自動車等に搭載される、手動変速機、自動変速機、無段変速機等の変速機に適用する潤滑方法として好適に採用することができ、中でも無段変速機、とりわけシャダーが発生しやすいロックアップクラッチを備える無段変速機における潤滑方法に好適に採用される。また、他の用途、例えば、内燃機関、油圧機械、タービン、圧縮機、工作機械、切削機械、歯車（ギヤ）、流体軸受け、転がり軸受けを備える機械等における潤滑にも好適に用いられる。
【００７４】
また、本実施形態の変速機は、本実施形態の潤滑油組成物を用いたものである。本実施形態の変速機は、高い金属間摩擦係数と優れた耐クラッチシャダー性能を有する潤滑油組成物を用いていることから、ガソリン自動車、ハイブリッド自動車、電気自動車等の様々な自動車における手動変速機、自動変速機、無段変速機として、広く好適に適用される。中でも無段変速機、とりわけシャダーが発生しやすいロックアップクラッチを備える無段変速機として好適に用いられる。
【実施例】
【００７５】
次に、本発明を実施例により、さらに詳細に説明するが、本発明は、これらの例によってなんら限定されるものではない。
【００７６】
実施例１〜３、及び比較例１〜７
表１に示す配合処方（質量％）に基づき、潤滑油組成物を調製した。得られた潤滑油組成物について、以下の方法により性状を測定し、また各種試験を行い、その物性を評価した。評価結果を表１に示す。
【００７７】
潤滑油組成物の性状の測定、及び評価は以下の方法で行った。
（１）動粘度
ＪＩＳ  Ｋ２２８３：２０００に準拠し、４０℃、１００℃における動粘度を測定した。
（２）粘度指数（ＶＩ）
ＪＩＳ  Ｋ２２８３：２０００に準拠して測定した。
（３）窒素原子の含有量
ＪＩＳ  Ｋ２６０９：１９９８に準拠して測定した。
（４）金属原子の含有量
ＪＩＳ−５Ｓ−３８−９２に準拠して測定した。
（５）リン原子の含有量
ＪＩＳ−５Ｓ−３８−９２に準拠して測定した。
【００７８】
（６）金属間摩擦係数の測定：ＬＦＷ−１試験
ＡＳＴＭ  Ｄ２１７４に記載されたブロックオンリング試験機（ＬＦＷ−１）を用いて、金属間摩擦係数を測定した。具体的な試験条件を以下に示す。
・試験治具：
リング：Ｆａｌｅｘ  Ｓ−１０  Ｔｅｓｔ−Ｒｉｎｇ（ＳＡＥ４６２０  Ｓｔｅｅｌ）
ブロック：Ｆａｌｅｘ  Ｈ−６０  Ｔｅｓｔ−Ｂｌｏｃｋ（ＳＡＥ０１  Ｓｔｅｅｌ）
・試験条件：
油温：１１０℃
荷重：１，１７６Ｎ
滑り速度：１．０、０．５、０．２５、０．１２５、０．０６３ｍ／ｓの順で各５分間保持
摩擦係数：滑り速度変更前の３０秒間における測定値
（ならし条件：油温：１１０℃、荷重：１，１７６Ｎ、滑り速度：１ｍ／ｓ、時間：３０分間）
【００７９】
（７）初期クラッチシャダー防止性能
ＪＡＳＯ  Ｍ３４９−２０１２に準拠し、以下の条件で試験して、５０ｒｐｍでのｄμ／ｄＶの数値をもって初期クラッチシャダー防止性能の指標とした。この値が大きいほどシャダー防止性能に優れていることを示す。
・摩擦材：セルロース系ディスク／スチールプレート
・油量  ：１５０ｍＬ
・性能測定：ならし運転後に油温４０℃にて測定
（ならし運転条件：油温８０℃、面圧：１ＭＰａ、滑り速度：０．６ｍ/ｓ、時間：３０分間）
【００８０】
（８）クラッチシャダー防止寿命
ＪＡＳＯ  Ｍ３４９−２０１２に準拠して評価した。具体的な試験条件は以下のとおりである。
摩擦材：セルロース系ディスク／スチールプレート
油  量：１５０ｍＬ
油  温：１２０℃
滑り速度：０．９ｍ／ｓ
滑り時間：３０分
休止時間：１分
性能測定：試験開始以降２４時間おきに、μ−Ｖ特性を測定し、ｄμ／ｄＶの値が０未満になるまでの時間を測定してクラッチシャダー防止寿命とした。
（慣らし運転時条件：油温：８０℃、面圧：１ＭＰａ、滑り速度：０．６ｍ／ｓ、時間：３０分）
【００８１】
【表１】
2018065923.tif 000006
＊１，（Ａ）アミド化合物の窒素原子換算の含有量（組成物全量基準）である。
＊２，アミン化合物１〜３の窒素原子換算の含有量（組成物全量基準）である。
＊３，（Ｂ）金属系清浄剤の金属原子換算の含有量（組成物全量基準）である。
＊４，（Ｃ）リン酸エステルのリン原子換算の含有量（組成物全量基準）である。
【００８２】
本実施例で用いた表１に示される各成分の詳細は以下のとおりである。
・（Ｄ）基油：７０Ｎ鉱油（１００℃動粘度：３．１ｍｍ２／ｓ、４０℃動粘度：１２．５ｍｍ２／ｓ、粘度指数：１１０）
・（Ａ）アミド化合物：モノステアリルグリコール酸アミド（一般式（１）において、Ｒ１１がオクタデシル基、Ｒ１２が水素原子、Ｒ１３がヒドロキシメチル基、Ｘが酸素原子であるアミド化合物）
・（Ｂ）金属系清浄剤１：カルシウムスルホネート（塩基価：４５０ｍｇＫＯＨ／ｇ、カルシウム含有量：１５質量％）
・（Ｂ）金属系清浄剤２：カルシウムスルホネート（塩基価：３００ｍｇＫＯＨ／ｇ、カルシウム含有量：１２質量％）
・（Ｃ）リン酸エステル１：２−エチルヘキシルハイドロジェンホスファイト（酸性亜リン酸エステル、一般式（７）において、Ｒ７１が２−エチルヘキシル基である酸性亜リン酸モノエステル）
・（Ｃ）リン酸エステル２：２−エチルヘキシルアシッドホスフェート（酸性リン酸エステル、一般式（５）において、Ｒ５１が２−エチルヘキシル基である酸性リン酸モノエステル）
・アミン化合物１：オレイルアミン
・アミン化合物２：ステアリルプロピレンジアミン
・アミン化合物３：ジメチルオクタデシルアミン
・その他添加剤：（添加剤パッケージ）粘度指数向上剤（非分散型ポリメタクリレート、質量平均分子量：３０，０００）、摩擦防止剤（トリクレジルホスフェート、硫黄系）、摩擦調整剤（脂肪酸エステル）、分散剤（ポリブテニルコハク酸イミド）、金属不活性化剤（チアジアゾール系）、消泡剤（シリコーン系）を含有。
【００８３】
表１の結果により、実施例１〜４の潤滑油組成物は、高い金属間摩擦係数と優れた耐クラッチシャダー性能とを有するものであることが確認された。また、実施例１と４との対比から、（Ｃ）リン酸エステルの添加により、耐クラッチシャダー性能を維持しつつ、金属間摩擦係数が向上することが確認された。
一方、（Ａ）アミド化合物を含まない比較例１の潤滑油組成物は、初期クラッチシャダー防止性能が低く、かつクラッチシャダー防止寿命が短く、耐クラッチシャダー性能の点で劣っており、（Ｂ）金属系清浄剤を含まない比較例２の潤滑油組成物は、クラッチシャダー防止寿命は長いものの、金属間摩擦係数が低く、初期クラッチシャダー防止性能が低かった。また、（Ａ）アミド化合物の代わりにアミン化合物を含む比較例３〜６の潤滑油組成物は、比較例１の潤滑油組成物に比べて初期クラッチシャダー防止性能は向上するものの、実施例と比較するとクラッチシャダー防止寿命の点で十分とはいえず、（Ａ）アミド化合物と（Ｂ）金属系清浄剤とを含まない比較例７の潤滑油組成物は、金属間摩擦係数及び初期クラッチシャダー防止性能が低く、かつクラッチシャダー防止寿命が短いことが確認された。
以上、実施例及び比較例の結果から、本実施形態の潤滑油組成物は、（Ａ）アミド化合物と、所定含有量で（Ｂ）金属系清浄剤とを含み、好ましくは（Ｃ）リン酸エステルを含むという、特定の構成を有することで、高い金属間摩擦係数と優れた耐クラッチシャダー性能とを有するものとなっており、これのいずれかが欠けても、高い金属間摩擦係数と優れた耐クラッチシャダー性能とを有するものとはならないことが確認された。
【産業上の利用可能性】
【００８４】
本実施形態の潤滑油組成物は、高い金属間摩擦係数と優れた耐クラッチシャダー性能とを有するという特性を有することから、例えば、ガソリン自動車、ハイブリッド自動車、電気自動車等に搭載される、手動変速機、自動変速機、無段変速機等の変速機用潤滑油組成物として好適に用いることができる。特に、シャダーが発生しやすいロックアップクラッチを備える、無段変速機用の潤滑油組成物として好適に用いられる。